(57)【要約】【課題】乾燥部による乾燥により印刷物の光沢に影響を与えることがなく、良好な仕上がりの印刷物を得ることのできる印刷機を実現することを課題とする。【解決手段】印刷部Ｂにて印刷された枚葉紙Ｐは最終印刷ユニット５の圧胴３からならし胴２０に渡され、枚葉紙Ｐの印刷面がならし胴２０に当接してインキが用紙に十分馴染むこととなる。そしてならし胴２０から乾燥用圧胴１１に受け渡された枚葉紙Ｐは乾燥部Ｔにて乾燥され、排紙部Ｃのチェーン搬送装置１２に受け渡される。【選択図】図１
2010089437.tif 000002
【特許請求の範囲】
【請求項１】
給紙部と、インキローラー群から供給されるインキを版胴を介してゴム胴に転写し、該ゴム胴と共に該給紙部から搬送導入される用紙を挟持して搬送する圧胴とを有する印刷部と、該印刷部で印刷された用紙を乾燥させる乾燥部とを有する印刷機において、該印刷部と該乾燥部との間に用紙の印刷面が当接する少なくとも１つのならし胴を設けたことを特徴とする印刷機。
【発明の詳細な説明】
【技術分野】
【０００１】
本発明は、給紙部から導入された用紙を印刷部にて印刷し、この印刷された用紙を乾燥させる乾燥部とを備えた印刷機に関する。
【背景技術】
【０００２】
印刷機には印刷された用紙を乾燥させる乾燥部を備えたものが知られている。例えば特許文献１には、各印刷部の各圧胴上に乾燥部であるＵＶランプがそれぞれ備えられており、各印刷部で印刷が行われた直後に該印刷が行われた圧胴上で印刷された用紙を乾燥させる印刷機の開示がある。
【特許文献１】特開平８−２０７２４７号公報
【発明の開示】
【発明が解決しようとする課題】
【０００３】
しかしながら、印刷直後でインキがまだ用紙に十分馴染んでいない状態で印刷された用紙を乾燥させると、印刷面の光沢が出にくく、印刷物としての仕上がりに問題があった。
【０００４】
本発明は前述の問題に鑑み、乾燥部を有する印刷機において、乾燥部による乾燥により印刷物の光沢に影響を与えることがなく、良好な仕上がりの印刷物を得ることのできる印刷機を提供することをその課題とする。
【課題を解決するための手段】
【０００５】
前記課題を解決するために、本発明は、給紙部Ａと、インキローラー群４から供給されるインキを版胴１を介してゴム胴２に転写し、該ゴム胴２と共に該給紙部Ａから搬送導入される用紙Ｐを挟持して搬送する圧胴３とを有する印刷部Ｂと、該印刷部Ｂで印刷された用紙Ｐを乾燥させる乾燥部Ｔとを有する印刷機において、該印刷部Ｂと該乾燥部Ｔとの間に用紙Ｐの印刷面が当接する少なくとも１つのならし胴２０を設けたことを特徴としている。
【発明の効果】
【０００６】
本発明の請求項１記載の印刷機によれば、印刷部と乾燥部との間には用紙の印刷面が当接する少なくとも１つのならし胴を設けたので、乾燥部による乾燥により印刷物の光沢に影響を与えることがなく、良好な仕上がりの印刷物を得ることのできる印刷機を実現することができる。
【発明を実施するための最良の形態】
【０００７】
本発明の実施形態による印刷機について図１〜３に基づき説明する。図１の概略全体図に示す通り、本実施例に係る印刷機は枚葉オフセット印刷機である。この印刷機は、紙積み台からフィーダ装置や用紙分離装置等により一枚ずつ印刷用紙としての枚葉紙Ｐを送り出すための給紙部Ａと、この給紙部Ａからの枚葉紙Ｐに印刷を行うための印刷部Ｂと、枚葉紙Ｐを排紙するための排紙部Ｃを備えている。ここで印刷部Ｂは、５色の印刷が行えるように５台の印刷ユニット５を備えた印刷部Ｂとしているが、５色以外の色、つまり１色又は２色以上の印刷が行える印刷部であってもよい。又、前記排紙部Ｃは、グリッパを備えるチェーン搬送装置１２にて構成しているが、この排紙部Ｃのない印刷機であってもよいし、又、印刷機を構成する各部の具体的な構成は図に示されるものに限定されるものではない。
【０００８】
前記印刷ユニット５は、版胴１とゴム胴２とインキローラー群４、そして圧胴３と渡し胴６とを備えている。図示していないが、前記胴３、６のそれぞれには、送り出されてきた枚葉紙Ｐを爪台と爪とで把持するグリッパを円周方向の２箇所（１箇所又は３箇所以上でもよい）に備えている。符号７は給紙胴であり、フィーダーボード８、口板９上を搬送される枚葉紙Ｐをスイングアーム１０から受け取り、圧胴３に渡す役割を果たす。給紙胴７、スイングアーム１０にも前記の爪台と爪が設けられている。
【０００９】
印刷部の最終印刷ユニット５と排紙部Ｃとの間には乾燥部と、本発明に関するならし胴とが設けられている。すなわち、最終印刷ユニット５の圧胴３により搬送された枚葉紙Ｐはならし胴２０に受け渡される。ならし胴２０は円筒形状で、枚葉紙Ｐの印刷された印刷面がその円筒面に当接するよう構成されている。よって、枚葉紙Ｐの印刷された印刷面はならし胴２０に当接することとなり、インキが用紙に十分に馴染むこととなる。このインキが馴染んだ状態の枚葉紙Ｐはならし胴２０から乾燥用圧胴１１に受け渡される。乾燥用圧胴１１の上部には乾燥部Ｔが設けられている。
【００１０】
乾燥部Ｔは具体的には紫外線照射部であり、図２にも示すように、乾燥用圧胴１１の表面にほぼ直交する方向に照射軸を有する多数の発光ダイオード２１を備え、それら発光ダイオード２１が乾燥用圧胴１１の上方に配置されている。これら多数の発光ダイオード２１は基板２２に備えられており、枚葉紙Ｐの幅方向に多数配置されている。
【００１１】
印刷部Ｂにて印刷された枚葉紙Ｐは最終印刷ユニット５の圧胴３からならし胴２０に渡され、枚葉紙Ｐの印刷面がならし胴２０に当接してインキが用紙に十分馴染むこととなる。そしてならし胴２０から乾燥用圧胴１１に受け渡された枚葉紙Ｐは乾燥部Ｔにて乾燥され、排紙部Ｃのチェーン搬送装置１２に受け渡される。このようにして印刷される枚葉紙Ｐは光沢を損なうことがなく、良好な仕上がりとなる。
【００１２】
図３は本発明の他の実施例を示す枚葉オフセット印刷機の概略側面図である。本実施例では、最終印刷ユニット５ｅの圧胴３に乾燥部Ｔが近接している。この場合、最終印刷ユニット５ｅのゴム胴２を胴抜きすることにより、最終印刷ユニット５ｅでは印刷を行わないように設定する。すると、印刷ユニット５ｄが最終印刷ユニットとなり、印刷ユニット５ｄと印刷ユニット５ｅにそれぞれ設けられた渡し胴２０がならし胴としての機能を奏することとなる。
【００１３】
本発明にかかる印刷機のならし胴は、上述した実施の形態に限定されず、特許請求の範囲で記載した範囲で種々の変形や改良が可能である。例えば、前述の実施例では、枚葉オフセット印刷機であったが、これに限定されず、輪転紙オフセット式印刷機やインクジェット式印刷機、またフレキソ印刷機のようなものであってもよい。
【産業上の利用可能性】
【００１４】
本発明に係る印刷機は、乾燥部を有する印刷機において極めて有用である。
【図面の簡単な説明】
【００１５】
【図１】本発明に係るならし胴を備えた枚葉オフセット印刷機の概略側面図
【図２】乾燥部Ｔと乾燥用圧胴１１の要部正面図
【図３】本発明の他の実施例を示す枚葉オフセット印刷機の概略側面図
【符号の説明】
【００１６】
２                  ゴム胴
３                  圧胴
１１                  乾燥用圧胴
２０                  ならし胴
２１                  発光ダイオード
２２                  基板
Ｔ                  乾燥部
【図１】
2010089437.tif 000003
【図２】
2010089437.tif 000004
【図３】
2010089437.tif 000005